(57)【要約】【課題】環境の如何にかかわらず、常時良好な転写を行うことができ、良質の画像形成を得ることができる画像形成装置を提供すること。【解決手段】感光体１１と、転写位置で感光体から転写材１９に像を転写する転写部材１２と、転写部材１２に電圧印加する電圧印加手段とを有する画像形成装置であって、電圧印加手段が定電流印加を行い、定電流印加中に得られた電圧値を計測し、この電圧値に転写材１９の見合い分の電圧値を加算した電圧値で、転写材１９への像転写時に定電圧印加を行うことで、通紙時に、環境を鑑みた転写材１９の見合い分を定電圧印加の電圧に盛り込むことができ、Ｖ−Ｉ特性の変動に対応した画像形成装置が得られる。【選択図】図１
2006276612.tif 000002
【特許請求の範囲】
【請求項１】
像担持体と、転写位置で前記像担持体から転写材に像を転写させ、転写位置に送られた転写材の前記像担持体側の面とは反対側の面に接触する転写部材と、前記転写部材に電圧印加する電圧印加手段と、を有する画像形成装置であって、
前記電圧印加手段は、前記転写部材から前記像担持体に流れる電流が一定の電流値になるように前記転写部材に定電流印加を行い、定電流印加中に得られた電圧値を計測し、当該電圧値に転写材の見合い分の電圧値を加算した電圧値で、転写材への像転写時に、前記転写部材に定電圧印加を行うことを特徴とする画像形成装置。
【請求項２】
前記転写材における見合い分の電圧値は、転写材の抵抗見合い値に定電流印加時の印加電流値を乗じたものであることを特徴とする請求項１記載の画像形成装置。
【請求項３】
前記転写材における見合い分の電圧値は、転写材の電流−電圧特性を一次直線近似した際の電圧切片値と、電流−電圧特性を一次直線近似した際の傾き値に定電流印加時の印加電流値を乗じたものを加えたものであることを特徴とする請求項１記載の画像形成装置。
【請求項４】
像担持体と、転写位置で前記像担持体から転写材に像を転写させ、転写位置に送られた転写材の像担持体側の面とは反対側の面に接触する転写部材と、前記転写部材に電圧印加する電圧印加手段と、を有する画像形成装置であって、
前記電圧印加手段は、前記転写部材から前記像担持体に電流が流れるように前記転写部材に定電圧印加を行い、定電圧印加中に得られた電流値を計測し、定電圧印加時の印加電圧値と、当該計測した電流値から、別の所定の電流値で電流印加した場合の電圧値を算出し、当該電圧値に転写材の見合い分の電圧値を加算した電圧値で、転写材への像転写時に、前記転写部材に定電圧印加を行うことを特徴とする画像形成装置。
【請求項５】
前記転写材における見合い分の電圧値は、転写材の抵抗見合い値に前記定電流印加時の印加電流値を乗じたものであることを特徴とする請求項４記載の画像形成装置。
【請求項６】
前記転写材における見合い分の電圧値は、転写材の電流−電圧特性を一次直線近似した際の電圧切片値と、前記電流−電圧特性を一次直線近似した際の傾き値に前記定電流印加時の印加電流値を乗じたものを加えたものであることを特徴とする請求項４記載の画像形成装置。
【発明の詳細な説明】
【技術分野】
【０００１】
本発明は、静電複写機、静電プリンタなど、像担持体と、像担持体に接触可能な転写部材を有する画像形成装置に関するものである。
【背景技術】
【０００２】
像担持体と、これに圧接する転写部材とを有し、これら両者の間に転写材を通過させると共に、この際に転写部材に電圧を印加して、像担持体のトナー像を転写材に転写するように構成した画像形成装置が提案されている（例えば、特許文献１参照）。
【０００３】
図９は、従来の画像形成装置の構成図である。
【０００４】
図９において、矢印Ｘ方向に回転する円筒状の感光体１の表面が、電源４によって帯電ローラ３を介して、一様に帯電された後、画像情報書込み手段５によって、画像変調されたレーザビーム、スリット露光などを用いて感光体１表面に画像情報が書き込まれ、画像部分の表面電位が下がることにより静電潜像が形成される。次に、この潜像に対して現像器６によってトナーが供給されてトナー像が形成される。
【０００５】
感光体１の回転にともなって、トナー像が転写部材たる転写ローラ２が感光体１に当接する転写部位に到達すると、タイミングを合わせて転写材９をも到達させ、電源７に前記転写ローラ２に転写電圧を印加させて、転写材９の裏面にトナーと反対極性の電荷を付与し、感光体１のトナー像を転写材９に転移させている。
【０００６】
このときの転写電圧の設定は、転写ローラ２が、温度、湿度といった環境の変動により、これに印加する電圧とこれを流れる電流の関係（Ｖ−Ｉ特性）が大きく変動することを考慮してなされている。
【０００７】
すなわち、転写材９が転写部位にない非通紙時には、電源７が転写ローラ２に対して定電流印加をおこない、これによって転写ローラ２に生じた電圧をホールドさせて、次の通紙時にこの電圧で定電圧印加させることで、環境の変動による、Ｖ−Ｉ特性の大きな変動に応じさせている。
【０００８】
例えば、常温常湿（Ｎ／Ｎ）時には、非通紙時に５μＡを定電流印加して、ホールド電圧７５０Ｖを得て、通紙時に７５０Ｖの定電圧印加して、転写電流２．２５μＡを得て、また高温高湿（Ｈ／Ｈ）時には、非通紙時に５μＡを定電流印加して、ホールド電圧５００Ｖを得て、通紙時に５００Ｖの定電圧印加して、転写電流１．５μＡを得て、また低温低湿（Ｌ／Ｌ）時には、非通紙時に５μＡを定電流印加して、ホールド電圧２０００Ｖを得て、通紙時に２０００Ｖの定電圧印加して、転写電流２．０μＡを得ている。
【０００９】
つまり、環境の変動に対して、転写電流を１．５〜２．２５μＡの範囲のバラツキに抑え込み、非通紙時に前記Ｖ−Ｉ特性の変動の大枠をつかむことで、転写系の環境変動による特性の変動に対応させている。
【特許文献１】特開平０２−１２３３８５号公報
【発明の開示】
【発明が解決しようとする課題】
【００１０】
しかしながら、上記したような従来の技術においては、以下のような問題が生ずる。
【００１１】
非通紙時にＶ−Ｉ特性の変動の大枠をつかむことで、転写系の環境変動による特性の変動に対応させているが、転写材９の環境変動も大きく、通紙時（通紙状態）でのＶ−Ｉ特性の変動に対応させる方が高精度の転写が可能となる。上記従来の技術では、非通紙時の前記Ｖ−Ｉ特性の変動に対応するが、通紙時の変動には、非通紙時の定電流印加の印加電流値を調整することができるだけで、正確に対応できないという欠点があった。
【００１２】
また、転写電流のバラツキに対し余裕度の少ない転写材を用いる用途において、この欠点は良質な転写画像を得る上で大きな障害である。具体的には、転写率が低下するなどの画像不良を引き起こす問題があった。
【００１３】
本発明は、通紙時のＶ−Ｉ特性の変動にも対応し、良質な画像を形成できる画像形成装置を提供することを目的とする。
【課題を解決するための手段】
【００１４】
本発明は、像担持体と、転写位置で像担持体から転写材に像を転写させ、転写位置に送られた転写材の像担持体側の面とは反対側の面に接触する転写部材と、転写部材に電圧印加する電圧印加手段と、を有する画像形成装置であって、電圧印加手段は、転写部材から像担持体に流れる電流が一定の電流値になるように転写部材に定電流印加を行い、定電流印加中に得られた電圧値を計測し、当該電圧値に転写材の見合い分の電圧値を加算した電圧値で、転写材への像転写時に、転写部材に定電圧印加を行う構成とした。
【発明の効果】
【００１５】
本発明によれば、環境の如何にかかわらず、常時良好な転写を行う画像形成装置を得ることができる。
【発明を実施するための最良の形態】
【００１６】
本発明の請求項１に係る発明は、像担持体と、転写位置で像担持体から転写材に像を転写させ、転写位置に送られた転写材の像担持体側の面とは反対側の面に接触する転写部材と、転写部材に電圧印加する電圧印加手段と、を有する画像形成装置であって、電圧印加手段は、転写部材から像担持体に流れる電流が一定の電流値になるように転写部材に定電流印加を行い、定電流印加中に得られた電圧値を計測し、当該電圧値に転写材の見合い分の電圧値を加算した電圧値で、転写材への像転写時に、転写部材に定電圧印加を行う構成とした。
【００１７】
これにより、通紙時に、環境を鑑みた転写材見合い分を定電圧印加の電圧に盛り込むことができるので、環境の如何にかかわらず、常時良好な転写を行うことができる。
【００１８】
本発明の請求項２に係る発明は、請求項１に係る発明において、転写材の見合い分の電圧値を転写材の抵抗見合い値に定電流印加時の印加電流値を乗じた構成としたものである。
【００１９】
これにより、簡易な構成にて、通紙時に、環境を鑑みた転写材見合い分を定電圧印加の電圧に盛り込むことができるので、低コストにて、環境の如何にかかわらず、常時良好な転写を行うことができる。
【００２０】
本発明の請求項３に係る発明は、請求項１に係る発明において、転写材の見合い分の電圧値を転写材の電流−電圧特性を一次直線近似した際の電圧切片値と、電流−電圧特性を一次直線近似した際の傾き値に定電流印加時の印加電流値を乗じたものを加えた構成としたものである。
【００２１】
これにより、通紙時に、環境を鑑みた転写材見合い分を定電圧印加の電圧に盛り込むことが高精度にできるので、環境の如何にかかわらず、常時良好な転写をおこなうことができる。
【００２２】
本発明の請求項４に係る発明は、像担持体と、転写位置で像担持体から転写材に像を転写させ、転写位置に送られた転写材の像担持体側の面とは反対側の面に接触する転写部材と、転写部材に電圧印加する電圧印加手段と、を有する画像形成装置であって、電圧印加手段は、転写部材から像担持体に電流が流れるように転写部材に定電圧印加を行い、定電圧印加中に得られた電流値を計測し、定電圧印加時の印加電圧値と、当該計測した電流値から、別の所定の電流値で電流印加した場合の電圧値を算出し、当該電圧値に転写材の見合い分の電圧値を加算した電圧値で、転写材への像転写時に、転写部材に定電圧印加を行う構成としたものである。
【００２３】
これにより、定電流印加を必要としない簡易な構成にて、通紙時に、環境を鑑みた転写材見合い分を定電圧印加の電圧に盛り込むことができるので、低コストにて、環境の如何にかかわらず、常時良好な転写をおこなうことができる。
【００２４】
本発明の請求項５に係る発明は、請求項４に係る発明において、転写材の見合い分の電圧値を転写材の抵抗見合い値に定電流印加時の印加電流値を乗じた構成としたものである。
【００２５】
これにより、定電流印加を必要としない簡易な構成にて、通紙時に、環境を鑑みた転写材見合い分を定電圧印加の電圧に盛り込むことができるので、低コストにて、環境の如何にかかわらず、常時良好な転写をおこなうことができる。
【００２６】
本発明の請求項６に係る発明は、請求項４に係る発明において、転写材の見合い分の電圧値を転写材の電流−電圧特性を一次直線近似した際の電圧切片値と、電流−電圧特性を一次直線近似した際の傾き値に定電流印加時の印加電流値を乗じたものを加えた構成としたものである。
【００２７】
これにより、定電流印加を必要としない簡易な構成にて、通紙時に、環境を鑑みた転写材見合い分を定電圧印加の電圧に盛り込むことが高精度にできるので、低コストにて、環境の如何にかかわらず、常時良好な転写をおこなうことができる。
【００２８】
以下、本発明の実施の形態について図面を用いて説明する。
【００２９】
（実施の形態１）
図１は、本発明の実施の形態１における画像形成装置の構成図である。
【００３０】
図１において、矢印Ｘ方向に、一定のプロセス速度で回転する感光体１１の表面が、電源１４によって、帯電ローラ１３を介して、一様に帯電されたのち、画像情報書込み手段１５によって、画像変調されたレーザビーム、スリット露光などを用いて感光体１１表面に画像情報が書き込まれ、画像部分の表面電位が下がることにより静電潜像が形成される。次に、この潜像に対して現像器１６によってトナーが供給されてトナー像が形成される。
【００３１】
感光体１１の回転にともなって、トナー像が転写部材たる転写ローラ１２が感光体１１に当接する転写部位に到達すると、タイミングを合わせて転写材１９をも到達させ、電源１７に転写ローラ１２に転写電圧を印加させて、転写材１９の裏面にトナーと反対極性の電荷を付与し、感光体１１のトナー像を転写材１９に転移させる。
【００３２】
本実施の形態では、転写ローラ１２に対する転写バイアスの設定について、以下に記述するように、定電流印加、定電圧印加両方が可能な電源１７によって所定の時点で所定のバイアスを印加できるようになっている。
【００３３】
まず、トナー像が前記転写部位に到達する以前の非通紙時において、ＣＰＵ１８が電源１７に対して、予め定めた電流値で印加電流の設定をおこなったのち定電流印加指示をおこなうことで、転写ローラ１２経由で転写材１９に対して定電流印加をおこなう。次に、電源１７は、転写ローラ１２に生じた印加電圧測定値をＣＰＵ１８に伝える。
【００３４】
次に、ＣＰＵ１８は、印加電圧測定値に転写材の見合い分の電圧値を加算した電圧値でもって電源１７に対して印加電圧の設定を行い、通紙時において電源１７に対して定電圧印加指示を行うことで、感光体１１のトナー像を転写材１９に転移させる。
【００３５】
定電圧印加時の印加電圧値の算出方法を、別の図を参照して詳しく説明する。
【００３６】
図２は、本発明の実施の形態１における定電圧印加時の印加電圧値の算出模式図であり、定電圧印加時の印加電圧値の算出方法の一例を示している。
【００３７】
ＣＰＵ１８は、転写材種、温度、湿度に応じて、メモリ１０から転写材抵抗値テーブルを引き、転写材抵抗値を求め、印加想定電流値を乗じて、転写材の見合い分の電圧値を算出し、その値を前記非通紙の印加電圧測定値に加算することで、通紙時の転写ローラ１２に対する印加電圧設定値を算出する。
【００３８】
この一連のバイアス印加動作を別の図を用いて説明する。
【００３９】
図３は、本発明の実施の形態１におけるＶ−Ｉ特性を示す図であり、Ｎ／Ｎ環境下における非通紙状態および通紙状態の転写ローラ１２を含む転写系のＶ−Ｉ特性の一例を示し、通紙時に最適な転写電流である２．０μＡ近辺の特性を重点的に示したものである。
【００４０】
非通紙時に定電流印加にて電流２．０μＡを印加した場合、転写ローラ１２に生ずる印加電圧値として４００Ｖが測定される。この電圧値に、Ｎ／Ｎ環境下における転写材の抵抗値１７０ＭΩに通紙時の印加想定電流値２．０μＡを乗じた値３４０Ｖを加算した電圧値７４０Ｖでもって、通紙時に定電圧印加することによって、最適な転写電流に一致する転写電流２．０μＡが流れ、良好な転写がおこなわれることになる。
【００４１】
もちろん、転写材の幅にかかわらず、全幅の転写材通紙においても、狭い幅の転写材通紙においても、転写ローラ１２の通紙部分には７４０Ｖが維持されているので、いずれの場合でも最適な転写電流２．０μＡが得られて、良好な転写が実現できる。以上において、通紙時の印加想定電流は、定電流印加時の印加電流と同じである必要はなく、転写材の特性に応じて変えてもいい。
【００４２】
次に、以上のようなバイアス印加動作を適用したときの、別の環境条件下での作用を別の図を用いて説明する。
【００４３】
図４は、本発明の実施の形態１におけるＶ−Ｉ特性を示す図であり、種々の環境下における非通紙状態および通紙状態の転写ローラ１２を含む転写系のＶ−Ｉ特性の一例で、通紙時に最適な転写電流である２．０μＡ近辺の特性を重点的に示したものである。
【００４４】
Ｈ／Ｈ環境下において、非通紙時に定電流印加にて電流２．０μＡを印加した場合、転写ローラ１２に生ずる印加電圧値として２５０Ｖが測定される。この電圧値に、Ｈ／Ｈ環境下における転写材の抵抗値１５０ＭΩに通紙時の印加想定電流値２．０μＡを乗じた値３００Ｖを加算した電圧値５５０Ｖでもって、通紙時に定電圧印加することによって、最適な転写電流に一致する転写電流２．０μＡが流れ、Ｈ／Ｈ環境においても、良好な転写が実現できることになる。
【００４５】
Ｌ／Ｌ環境下において、非通紙時に定電流印加にて電流２．０μＡを印加した場合、転写ローラ１２に生ずる印加電圧値として１３００Ｖが測定される。この電圧値に、Ｌ／Ｌ環境下における転写材の抵抗値３５０ＭΩに通紙時の印加想定電流値２．０μＡを乗じた値７００Ｖを加算した電圧値２０００Ｖでもって、通紙時に定電圧印加することによって、最適な転写電流に一致する転写電流２．０μＡが流れ、Ｌ／Ｌ環境においても、良好な転写が実現できることになる。
【００４６】
Ｈ／Ｈ環境下においても、Ｌ／Ｌ環境下においても、転写材の幅にかかわらず良好な転写が実現できることは、前述のＮ／Ｎ環境時と同様である。
【００４７】
また、環境、転写材の幅のみならず、転写材種への対応性も高い。メモリ１０内に転写材抵抗値テーブルを有するので、転写材種に応じたバイアス印加が容易となる。例えば、ＯＨＰ用シートのように、非常に高い抵抗値を有する特殊な転写材の場合、メモリ１０内の転写材抵抗値テーブルの該当する転写材種の部分に高い抵抗値を設定しておけば事足りるし、また、上質紙等の一般の転写材は環境に応じて大きくその抵抗値を変えるのに対して、ＯＨＰ用シートのように、環境が変動してもその抵抗値の変動はごくわずかであるというような特殊な転写材の場合でも、転写材抵抗値テーブル１０にその通りの抵抗値設定をおこなえば事足りる。
【００４８】
以上説明したバイアス印加をおこなうことにより、環境、転写材の幅、転写材種にかかわらず、常に良好な転写性が実現できるので、良質の画像形成ができる。
【００４９】
なお、メモリ１０内の転写材抵抗値テーブルは必ずしもテーブル形式である必要はなく、演算式形式であって良いことはいうまでもない。すなわち、例えば、転写材抵抗値が温度、湿度の関数式で算出され、それらの関数式が転写材種ごとに設けられている場合でも、同様の作用が得られる。
【００５０】
（実施の形態２）
図５は、本発明の実施の形態２における画像形成装置の構成図であり、図１とはメモリ１０内のテーブル構成が異なっている。
【００５１】
定電流印加、定電圧印加両方が可能な電源１７によって所定の時点で所定のバイアスを印加できるようになっている点では図１と同じであるが、図５の構成では、メモリ１０内に転写材傾き値テーブルと、転写材電圧切片値テーブルを持っており、ＣＰＵ１８による定電圧印加時の設定電圧の算出方法が異なる。この定電圧印加時の設定電圧の算出方法を、別の図を参照して説明する。
【００５２】
図６は、本発明の実施の形態２における定電圧印加時の印加電圧値の算出模式図であり、定電圧印加時の印加電圧値の算出方法の一例を示すものである。
【００５３】
ＣＰＵ１８は、転写材種、温度、湿度に応じて、メモリ１０から転写材傾き値テーブルを引き、転写材傾き値を求め、印加想定電流値を乗じて、同じくメモリ１０から転写材電圧切片値テーブルを引き、求めた転写材電圧切片値を加算して、転写材の見合い分の電圧値を算出し、その値を非通紙時の印加電圧測定値に加算することで、通紙時の転写ローラ１２に対する印加電圧設定値を算出する。このような定電圧印加時の印加電圧値の算出方法を用いることにより、実施例１と同様の作用を得ることができるとともに、転写材の見合い分のＶ−Ｉ特性の近似精度が実施例１よりも向上するので、多様な印加想定電流値に対する転写材の見合い分の電圧値の算出精度が向上する利点が得られる。
【００５４】
なお、メモリ１０内の転写材傾き値テーブルは必ずしもテーブル形式である必要はなく、演算式形式であって良いことはいうまでもない。すなわち、例えば、転写材傾き値が温度、湿度の関数式で算出され、それらの関数式が転写材種ごとに設けられている場合でも、同様の作用が得られる。
【００５５】
また、メモリ１０内の転写材電圧切片値テーブルは必ずしもテーブル形式である必要はなく、演算式形式であって良いことはいうまでもない。即ち、例えば、転写材電圧切片値が温度、湿度の関数式で算出され、それらの関数式が転写材種ごとに設けられている場合でも、同様の作用が得られる。
【００５６】
（実施の形態３）
図７は、本発明の実施の形態３における画像形成装置の構成図であり、図１とは、電源１７が定電流印加しない点で異なっている。
【００５７】
実施の形態１における非通紙時の印加電圧相当値を実測で求めず、非通紙時に行う定電圧印加の際の印加電圧値と流れる電流値の実測値よりＣＰＵ１８が計算で求める点が異なる。実施の形態１における非通紙時の印加電圧相当値を計算で求める方法を、別の図を参照して説明する。
【００５８】
図８は、本発明の実施の形態３における非通紙時の印加電圧相当値の算出方法を示す図であり、実施の形態１における非通紙時の印加電圧相当値の算出方法の一例を示すものである。
【００５９】
この手順に従えば、非通紙時、定電流印加をせずに、定電圧印加をおこない、その際に流れる電流値を測定して、例えば図８に示すテーブルを用いて、非通紙時のＶ−Ｉカーブの直線近似の電圧切片値Ｖ０を求め、例えば図８に示す計算式を用いて、非通紙時のＶ−Ｉカーブの直線近似の傾きＫを求めることができる。これらが、非通紙時のＶ−Ｉカーブの直線近似のパラメータとなり、図８に示した直線近似の一次式にて、所定の印加想定電流値における印加電圧値を推定することができる。
【００６０】
例えば、Ｈ／Ｈ環境で、１０００Ｖの定電圧を印加して、２０μＡ流れたと計測したなら、Ｖｏ値は１５０Ｖ、Ｋ値は４２．５Ｖ／μＡと推定できるので、印加想定電流値２．０μＡにおける非通紙時印加電圧Ｖａ値は２３５Ｖと計算できる。図８に例示する同様の手順で、Ｎ／Ｎ環境では、Ｖａ値４００Ｖ、Ｌ／Ｌ環境では、Ｖａ値１３００Ｖと計算できる。これら各環境化でのＶａ値は、実施例１における実測値と大略等しくできるので、実施の形態１における実測値と同様の扱いをして、ＣＰＵ１８は、転写材種、温度、湿度に応じて、メモリ１０から転写材抵抗値テーブルを引き、転写材抵抗値を求め、印加想定電流値を乗じて、転写材の見合い分の電圧値を算出し、その値をＶａ値に加算することで、通紙時の転写ローラ１２に対する印加電圧設定値を算出できる。定電流印加を行わない簡易な構成ながら、実施の形態１と同様の作用を得ることができる。
【００６１】
また、ＣＰＵ１８が、転写材種、温度、湿度に応じて、実施の形態２の図５におけるように、メモリ１０から転写材傾き値テーブルを引き、転写材傾き値を求め、印加想定電流値を乗じて、同じくメモリ１０から転写材電圧切片値テーブルを引き、求めた転写材電圧切片値を加算して、転写材の見合い分の電圧値を算出し、その値をＶａ値に加算することで、通紙時の転写ローラ１２に対する印加電圧設定値を算出してもよい。この方法によると、定電流印加をおこなわない簡易な構成ながら、実施の形態２と同様の作用を得ることができる。
【００６２】
なお、以上の説明では、転写手段として転写ローラを使用した場合について記述したが、接触転写手段としての転写ベルトを用いた場合にも同様の作用が得られることはいうまでもない。
【産業上の利用可能性】
【００６３】
本発明に係る画像形成装置は、環境の如何にかかわらず、常時良好な転写をおこなうことができ、良質の画像形成を得ることができる点で有用である。
【図面の簡単な説明】
【００６４】
【図１】本発明の実施の形態１における画像形成装置の構成図
【図２】本発明の実施の形態１における定電圧印加時の印加電圧値の算出模式図
【図３】本発明の実施の形態１におけるＶ−Ｉ特性を示す図
【図４】本発明の実施の形態１におけるＶ−Ｉ特性を示す図
【図５】本発明の実施の形態２における画像形成装置の構成図
【図６】本発明の実施の形態２における定電圧印加時の印加電圧値の算出模式図
【図７】本発明の実施の形態３における画像形成装置の構成図
【図８】本発明の実施の形態３における非通紙時の印加電圧相当値の算出方法を示す図
【図９】従来の画像形成装置の構成図
【符号の説明】
【００６５】
１０    メモリ
１１    感光体
１２    転写ローラ（転写部材）
１３    帯電ローラ
１４    電源
１５    画像情報書込み手段
１６    現像器
１７    電源
１８    ＣＰＵ
１９    転写材
【図１】
2006276612.tif 000003
【図２】
2006276612.tif 000004
【図３】
2006276612.tif 000005
【図４】
2006276612.tif 000006
【図５】
2006276612.tif 000007
【図６】
2006276612.tif 000008
【図７】
2006276612.tif 000009
【図８】
2006276612.tif 000010
【図９】
2006276612.tif 000011